(57)【要約】    【課題】透明板の原稿載置面に載置された原稿を、該透明板を介して原稿載置面の反対側に設置された読取手段が、光源から原稿に光照射して該原稿からの反射光を読み取る画像読取装置及び画像読取方法に関し、位置決め部材の原稿載置面側に設けられた白基準部への外乱光の影響を防止して、読み取り画質を向上させる手段を提供する。    【解決手段】画像読取装置１は、原稿を載置する原稿載置面を有するプラテンガラス１３と、プラテンガラス１３に関して原稿載置面と反対側に設置され、光源により光照射して該反射光を読み取るイメージセンサ２１と、プラテンガラス１３に近接して設けられ、原稿の位置決めを行う位置決め部材１７と、位置決め部材１７にプラテンガラス１３を介してイメージセンサ２１に対向配置される白基準部１７ａと、プラテンガラス１３内を移動する外乱光を吸収する黒基準部１７ｂとを備える。【選択図】図１
2006065289.tif 000002
【特許請求の範囲】
【請求項１】
原稿を載置する原稿載置面を有する透明板と、
前記透明板に関して前記原稿載置面と反対側に設置され、光源により光照射して該反射光を読み取る読取手段と、
前記読取手段を前記透明板に沿って往復動させる駆動手段と、
前記透明板に近接して設けられ、原稿の位置決めを行う位置決め手段と、
前記位置決め手段に透明板を介して前記読取手段に対向配置される白基準部と、
前記透明板内を移動する外乱光を吸収する光吸収手段と、を備え、
前記光吸収手段及び前記白基準部は、透明板の読取領域内であって、前記位置決め手段の原稿載置面側に隣接して配置されることを特徴とする画像読取装置。
【請求項２】
前記位置決め手段は、前記透明板を複数の領域に区画する位置に配置されることを特徴とする請求項１に記載の画像読取装置。
【請求項３】
原稿を載置する原稿載置面を有する透明板と、
前記透明板を介して前記原稿載置面と反対側に配設され、光源により光照射して該反射光を読み取る読取手段と、
前記読取手段を前記透明板に沿って往復動させる駆動手段と、
前記透明板の原稿載置面を前記読取手段の移動方向に対して複数の領域に区画するように設けられ、原稿載置面に載置される原稿の位置決めを行う位置決め手段と、
前記位置決め手段の原稿載置面側であって前記読取手段の移動方向の中央付近に位置するように設けられ、前記透明板を通じて位置決め手段の原稿載置面側に入射する外乱光を吸収する光吸収手段と、
前記位置決め手段の原稿載置面側に設けられた白基準部と、を具備するものである画像読取装置。
【請求項４】
前記位置決め手段により区画される複数の領域は、前記透明板の上方に原稿を搬送する搬送手段により前記透明板上を搬送される原稿を前記読取手段により読み取る移動原稿走査領域と、前記透明板に配置された原稿を前記読取手段が移動しつつ読み取る静止原稿走査領域と、を含むことを特徴とする請求項１から３のいずれかに記載の画像読取装置。
【請求項５】
前記光吸収手段は、前記画像読取手段が黒基準データを取得する位置から少なくとも前記移動原稿搬送領域側へ延出するように配置されたものである請求項４に記載の画像読取装置。
【請求項６】
前記光吸収手段は、主走査方向において透明板と同等以上の長さを有することを特徴とする請求項１〜５のいずれか１項に記載の画像読取装置。
【請求項７】
前記白基準部は、前記光吸収手段に対して移動原稿搬送領域側に配置され、該白基準部の移動原稿搬送領域側に第２の光吸収手段が配置されたものである請求項１〜６のいずれかに記載の画像読取装置。
【請求項８】
装置本体の内面に第３の光吸収手段が設けられたものである請求項１〜７のいずれかに記載の画像読取装置。
【請求項９】
前記光吸収手段、第２の光吸収手段、及び第３の光吸収手段は、略黒色であることを特徴とする請求項１〜８のいずれか１項に記載の画像読取装置。
【請求項１０】
前記読取手段と前記駆動手段とを制御する制御手段を備え、
前記制御手段は、前記読取手段を、前記白基準部を読み取り可能な白基準領域内で移動させつつ、白基準領域内における複数の点で白基準データを取得させるとともに、
前記読取手段を、前記光吸収手段を読み取り可能な光吸収手段領域内で光源を消灯した状態で黒基準データを取得させることを特徴とする請求項１〜９のいずれか１項に記載の画像読取装置。
【請求項１１】
前記制御手段は、前記読取手段を白基準領域内で往復動させて前記読取手段により前記白基準データを読み取ることを特徴とする請求項１０に記載の画像読取装置。
【請求項１２】
前記制御手段は、前記黒基準データを取得するときに、前記読取手段を停止させ、一定時間ごとに複数の黒基準データを取得させることを特徴とする請求項１０又は１１に記載の画像読取装置。
【請求項１３】
前記読取手段と前記駆動手段とを制御する制御手段を備え、
前記制御手段は、前記読取手段に、前記白基準部を読み取り可能な白基準領域内で白基準データを取得させるとともに、前記読取手段に、前記光吸収手段を読み取り可能な光吸収手段領域内で光源を消灯した状態で黒基準データを取得させるものである請求項１から９のいずれかに記載の画像読取装置。
【請求項１４】
前記制御手段は、前記読取手段を、所定の待機位置から、前記光吸収手段領域に移動させて黒基準データを取得させ、次に、前記読取手段を、前記白基準領域に移動させて白基準データを取得させることを特徴とする請求項１０又は１３に記載の画像読取装置。
【請求項１５】
前記制御手段は、前記読取手段を、前記光吸収手段領域よりも前記白基準領域に近い待機位置から、前記白基準領域に往動させて白基準データを取得させ、次に、前記読取手段を更に前記光吸収手段領域に往動させて黒基準データを取得させることを特徴とする請求項１０又は１３に記載の画像読取装置。
【請求項１６】
前記制御手段は、前記読取手段を前記待機位置から前記白基準領域に移動させ、前記光源の光量を調整する光量調整を行い、白基準データを取得させることを特徴とする請求項１５に記載の画像読取装置。
【請求項１７】
前記制御手段は、既に取得した黒基準データを保持し、前記光量調整において該黒基準データに基づいて光源の光量を調整するものである請求項１６に記載の画像読取装置。
【請求項１８】
前記制御手段は、前記読取手段を、前記白基準領域から前記光吸収手段領域に移動させる間に、前記光源を消灯させることを特徴とする請求項１５から１７のいずれかに記載の画像読取装置。
【請求項１９】
原稿を載置する原稿載置面を有する透明板と、
前記透明板に関して前記原稿載置面と反対側に配設され、光源により光照射して該反射光を読み取る読み取り手段と、
前記読取手段を前記透明板に沿って往復動させる駆動手段と、
前記透明板に近接して設けられ、原稿の位置決めを行う位置決め手段と、
前記位置決め手段に透明板を介して前記読取手段に対向配置される白基準部と、
前記透明板内を移動する外乱光を吸収する光吸収手段と、を備えた画像読取装置を用いる画像読取方法であって、
前記読取手段を、前記白基準部を読み取り可能な白基準領域内で移動させつつ、前記光源により前記白基準部を照らした状態で、前記読取手段に、前記白基準部における複数の点での白基準データを取得させる白基準データ取得工程と、
前記読取手段を前記白基準領域内、又は前記光吸収手段の下方で停止させ、前記光源を消灯した状態で一定時間ごとに黒基準データを取得させる黒基準データ取得工程と、を含むことを特徴とする画像読取方法。
【請求項２０】
原稿を載置する原稿載置面を有する透明板と、
前記透明板を介して前記原稿載置面と反対側に配設され、光源により光照射して該反射光を読み取る読取手段と、
前記読取手段を前記透明板に沿って往復動させる駆動手段と、
前記透明板の原稿載置面を前記読取手段の移動方向に対して複数の領域に区画するように設けられ、原稿載置面に載置される原稿の位置決めを行う位置決め手段と、
前記位置決め手段の原稿載置面側であって前記読取手段の移動方向の中央付近に位置するように設けられ、前記透明板を通じて位置決め手段の原稿載置面側に入射する外乱光を吸収する光吸収手段と、
前記位置決め手段の原稿載置面側に設けられた白基準部と、を具備する画像読取装置を用いる画像読取方法であって、
前記読取手段を、所定の待機位置から前記光吸収手段を読み取り可能な光吸収手段領域に移動させて、該光吸収手段領域に対して光源を消灯した状態で黒基準データを取得させる黒基準データ取得工程と、
前記読取手段を、前記光吸収手段領域から前記白基準部を読み取り可能な白基準領域に移動させて、該白基準領域に対して白基準データを取得させる白基準データ取得工程と、を含むものである画像読取方法。
【請求項２１】
原稿を載置する原稿載置面を有する透明板と、
前記透明板を介して前記原稿載置面と反対側に配設され、光源により光照射して該反射光を読み取る読取手段と、
前記読取手段を前記透明板に沿って往復動させる駆動手段と、
前記透明板の原稿載置面を前記読取手段の移動方向に対して複数の領域に区画するように設けられ、原稿載置面に載置される原稿の位置決めを行う位置決め手段と、
前記位置決め手段の原稿載置面側であって前記読取手段の移動方向の中央付近に位置するように設けられ、前記透明板を通じて位置決め手段の原稿載置面側に入射する外乱光を吸収する光吸収手段と、
前記位置決め手段の原稿載置面側に設けられた白基準部と、を具備する画像読取装置を用いる画像読取方法であって、
前記読取手段を、前記光吸収手段よりも前記白基準部に近い待機位置に待機させる待機工程と、
前記読取手段を、前記待機位置から前記白基準部を読み取り可能な白基準領域に移動させて、該白基準領域に対して白基準データを取得させる白基準データ取得工程と、
前記読取手段を、前記白基準領域から前記光吸収手段を読み取り可能な光吸収手段領域に移動させて、該光吸収手段領域に対して光源を消灯した状態で黒基準データを取得させる黒基準データ取得工程と、を含むものである画像読取方法。
【請求項２２】
前記白基準データ取得工程は、前記白基準領域に対して白基準データを取得する前に、該白基準領域に対して前記読取手段の光源の光量を調整を行うものである請求項２１に記載の画像読取方法。
【請求項２３】
前記白基準データ取得工程は、既に取得した黒基準データに基づいて前記光源の光量を調整するものである請求項２２に記載の画像読取方法。
【請求項２４】
前記黒基準データ取得工程は、前記読取手段を、前記白基準領域から前記光吸収手段領域に移動させる間に、前記光源を消灯させるものである請求項２１から２３のいずれかに記載の画像読取方法。
【発明の詳細な説明】
【技術分野】
【０００１】
本発明は、透明板の原稿載置面に載置された原稿を、該透明板を介して原稿載置面の反対側に設置された読取手段が、光源から原稿に光照射して該原稿からの反射光を読み取る画像読取装置及び画像読取方法に関する。
【背景技術】
【０００２】
従来より、上面が開口した箱形の筐体の上面に透明ガラスからなるプラテンが取り付けられるとともに、該プラテンの下側に、例えば密着型イメージセンサ（以下ＣＩＳという）等の読取手段が往復動可能に設けられた画像読取装置が知られている。この画像読取装置では、プラテン上に読取面が下向きとなるように原稿が載置され、前記ＣＩＳにより原稿の画像が光学的に読み取られ、その光信号が電気信号に変換されて画像データが形成される。
【０００３】
ところで、このＣＩＳを搭載した画像読取装置では、受光素子間での光学的特性のばらつきや、個々の光源の照度が不均一であることに起因して、読取値のばらつきが画像情報を作成するに好ましくないほど大きくなることがある。したがって、ＣＩＳによる画像読取りに先立って、受光素子間のばらつきや個々の光源の照度の不均一を補正する必要がある。
【０００４】
詳細には、ＣＩＳによる画像読み取り前に、白色プレート又は白色ローラに対して光源を消灯した状態で読み取りが行われ、読み取った光信号が電気信号に変換されて、黒のイメージデータとしてバッファメモリに記憶される。そして、この黒のイメージデータに基づいて原稿の画像データの補正が行われる。これにより、受光素子間での光学的特性のばらつきが補正される。
【０００５】
次に、ＣＩＳの光源が点灯され、白基準となる白色プレート又は白色ローラから得られる反射光が受光素子に結像されて読取りが行われ、読み取った光信号が電気信号に変換されて、白のイメージデータしてバッファメモリに記憶される。そして、この白のイメージデータに基づいて原稿の画像データの補正が行われる。これにより、個々の光源の照度の不均一に対する補正が行われる（特許文献１参照）。
【０００６】
また、画像読取装置には、原稿読み取り時に前記プラテンを被覆するために、原稿押圧板が垂直（上下）方向に開閉自在に設けられている。しかし、ブック原稿等の厚い原稿を読み取る場合には、綴じ代の影をなくすためにブック原稿の背表紙部分を上から押さえ、原稿押圧板をプラテンに対して開いた状態で、ＣＩＳによる画像読取りが行われる。
【０００７】
【特許文献１】特開２０００−１１５４７３号公報
【発明の開示】
【発明が解決しようとする課題】
【０００８】
原稿押圧板を開いた状態で画像読取りを行うと、プラテンを通じて装置内に外乱光が入るという問題がある。なお、外乱光とは、プラテン等の透明部材や装置の開口部分から装置内に進入する屋内や屋外の光である。詳細に説明するに、プラテンから装置内に進入した外乱光は、プラテン内を反射しながら移動したり、プラテンを透過した後、筐体の内面等で反射する。このような外乱光が、白基準である白色プレートや白色ローラに入射することがある。外乱光が入射した状態で前述した補正を行うと、外乱光の影響により本来の黒基準より大きい出力が黒基準の出力となる。すなわち、黒のイメージデータは、外乱光が入射した分だけ、本来の黒のイメージデータより大きな出力として得られる。また、外乱光の影響により、白基準の出力が本来の白基準より大きくなる。すなわち、白のイメージデータは、外乱光が入射した分だけ、本来の白のイメージデータより大きな出力として得られる。
【０００９】
このような外乱光の影響を受けた黒及び白のイメージデータを用いて、原稿の画像読取りにより得た画像データの補正を行うと、原稿の白色が見かけ上暗くなり、暗い画像に補正される。すなわち、外乱光の影響がない原稿の白色に対する出力は、外乱光の影響を受けた白のイメージデータより小さいので、本来の白色より低い輝度として薄灰色レベルに補正され、その結果、外乱光が入射しない原稿領域の読取り画像が暗くなる。特に黒レベルの低い黒画像はつぶれてしまう。すなわち、ＣＩＳの出力曲線は、黒色レベル側では傾きが緩やかであり出力差が小さいので、外乱光の影響により黒のイメージデータの出力が大きくなると、外乱光の影響がない原稿の黒色レベルから濃灰色レベルの出力が黒のイメージデータより小さくなる。その結果、補正後の読取画像では、黒色レベルから濃灰色レベルの出力がすべて黒色とされる。
【００１０】
このような外乱光の影響は、特に、プラテンの他に原稿搬送装置により搬送される原稿を読み取るスリットガラスを備えた画像読取装置では、そのスリットガラスの上方空間が露出され、外乱光が入ってきやすいため問題となる。詳細には、フラットベッドスキャナ（以下「ＦＢＳ」という。）としてのＦＢＳ領域と、オートドキュメントフィーダ（以下「ＡＤＦ」という。）等の原稿搬送装置により搬送される原稿を読み取るＡＤＦ領域とをプラテンが有し、これら領域を区画する位置決め部材の原稿載置面側に白基準が設けられている場合に、ＦＢＳ領域が原稿によりほぼ覆われていたとしても、ＡＤＦ領域は露出されたままである。したがって、ＡＤＦ領域から外乱光が装置内に進入し、位置決め部材の原稿載置面側に入射する。一方、ＦＢＳ領域では、原稿により外乱光がほぼ遮蔽されるので、原稿の大部分は外乱光の影響がない。したがって、前述した問題が生じやすい。
【００１１】
そこで、本発明は、透明板の原稿載置面に載置された原稿を、該透明板を介して原稿載置面の反対側に設置された読取手段が、光源から原稿に光照射して該原稿からの反射光を読み取る画像読取装置及び画像読取方法に関し、位置決め部材の原稿載置面側に設けられた白基準部への外乱光の影響を防止して、読み取り画質を向上させる手段を提供することを目的とする。
【課題を解決するための手段】
【００１２】
（１）本発明に係る画像読取装置は、原稿を載置する原稿載置面を有する透明板と、前記透明板に関して前記原稿載置面と反対側に設置され、光源により光照射して該反射光を読み取る読取手段と、前記透明板に近接して設けられ、原稿の位置決めを行う位置決め手段と、前記位置決め手段に透明板を介して前記読取手段に対向配置される白基準部と、前記透明板内を移動する外乱光を吸収する光吸収手段と、を備え、前記光吸収手段及び前記白基準部は、透明板の読取領域（読取手段が透明板上に載置された原稿を読み取る領域）内であって、前記位置決め手段の原稿載置面側に隣接して配置されることを特徴とする。
【００１３】
この発明によれば、外部から入ってきた外乱光は光吸収手段により吸収される。そのため、外部からの余計な光が白基準データを採るときに影響することを防止できる。また、外乱光を吸収する光吸収手段に対して黒基準データを取得することにより、黒基準データに外乱光が影響することを防止できる。これにより、正確な白補正データ及び黒補正データを得ることができる。
【００１４】
（２）また、本発明は、前記画像読取装置において、前記位置決め手段は、前記透明板を複数の領域に区画する位置に配置されることを特徴とする。
【００１５】
この発明によれば、コンパクトな装置を構成するため、位置決め手段を、透明板を複数の領域に区画する位置に配置し、外からの外乱光が白基準部に影響しやすい場合であっても、光吸収手段により、外部からの余計な光を吸収し、白基準データの取得に対する外乱光の影響を防止できる。また、外乱光を吸収する光吸収手段に対して黒基準データを取得することにより、黒基準データに外乱光が影響することを防止できる。
【００１６】
（３）また、本発明に係る画像読取装置は、原稿を載置する原稿載置面を有する透明板と、前記透明板を介して前記原稿載置面と反対側に配設され、光源により光照射して該反射光を読み取る読取手段と、前記読取手段を前記透明板に沿って往復動させる駆動手段と、前記透明板の原稿載置面を前記読取手段の移動方向に対して複数の領域に区画するように設けられ、原稿載置面に載置される原稿の位置決めを行う位置決め手段と、前記位置決め手段の原稿載置面側であって前記読取手段の移動方向の中央付近に位置するように設けられ、前記透明板を通じて位置決め手段の原稿載置面側に入射する外乱光を吸収する光吸収手段と、前記位置決め手段の原稿載置面側に設けられた白基準部と、を具備するものである。
【００１７】
画像読取りが行われる原稿は、位置決め手段に従って透明板の原稿載置面の一方の領域に載置される。そして、読取手段が、透明板の一方の領域に対応した範囲で駆動手段により移動される間に、光源から原稿に対して光照射して該原稿からの反射光を読み取る。これにより、原稿の画像読取りが行われる。この画像読取りに先立って、読取手段が、駆動手段により光吸収手段及び白基準部に対応する位置に移動される。そして、読取手段により、光吸収手段に対して黒基準データが取得され、また、白基準部に対して白基準データが取得される。この際、原稿が載置されていない原稿載置面の他方の領域が外部に露出されている場合には、この他方の領域から装置内に外乱光が進入する。外部から透明板に進入した外乱光は、透明板内を反射しながら位置決め手段の原稿載置面側に入射したり、透明板を通過して装置本体（筐体）内面で反射し、再び透明板を通過して位置決め手段の原稿載置面側に入射する。位置決め手段の原稿載置面側では、光吸収手段が入射した外乱光を吸収する。したがって、光吸収手段に対して黒基準データが取得される際に、外乱光が黒基準データに影響することを防止できる。また、白基準部に対して白基準データが取得される際に、白基準データに外乱光が影響することを防止できる。これにより、原稿の白色及び黒色に対応した正確な基準データを得ることができるので、外乱光が入射した状態における画像読取りにおいて、読取画像の画質劣化が防止される。
【００１８】
（４）また、本発明は、前記画像読取装置において、前記位置決め手段により区画される複数の領域は、前記透明板の上方に原稿を搬送する搬送手段により前記透明板上を搬送される原稿を前記読取手段により読み取る移動原稿走査領域と、前記透明板に配置された原稿を前記読取手段が移動しつつ読み取る静止原稿走査領域と、を含むことを特徴とする。
【００１９】
この発明によれば、一枚の透明板を複数の領域に分割し、その領域を移動原稿走査領域と静止原稿走査領域とに分けている。そして、領域を区画する位置決め手段の原稿載置面側に白基準部及び光吸収手段が設けられている。透明板が露出されている状態では、移動原稿走査領域と静止原稿走査領域とから、位置決め手段の原稿載置面側に外乱光が入射する。白基準部は位置決め手段の原稿載置面側に設けられているので、外乱光の影響を受けやすい。しかし、本発明では、光吸収手段により、外乱光が吸収されるので、外乱光が白基準データの取得に影響することを防止できる。また、外乱光を吸収する光吸収手段に対して黒基準データを取得することにより、黒基準データに外乱光が影響することを防止できる。
【００２０】
（５）また、本発明は、前記画像読取装置において、前記光吸収手段は、前記画像読取手段が黒基準データを取得する位置から少なくとも前記移動原稿搬送領域側へ延出するように配置されたものである。
【００２１】
位置決め手段により、透明板は、移動原稿走査領域と静止原稿走査領域とに区画される。透明板が露出されている状態では、移動原稿走査領域と静止原稿走査領域とから、位置決め手段の原稿載置面側に外乱光が入射するところ、静止原稿走査領域には原稿が載置されるので、該原稿により外乱光の入射が防止される。一方、移動原稿走査領域には、原稿が載置されないので、外乱光が入射する。また、画像読取手段は、光吸収手段に対して黒基準データを取得する。この光吸収手段が、画像読取手段が黒基準データを取得する位置から少なくとも移動原稿搬送領域側へ延出されることにより、移動原稿搬送領域側から入射する外乱光の影響が効率的に防止される。
【００２２】
（６）また、本発明は、前記画像読取装置において、前記光吸収手段は、主走査方向において透明板と同等以上の長さを有することを特徴とする。
【００２３】
この発明では、光吸収手段の主走査方向の長さが、透明板の主走査方向の長さと同等以上であるので、透明板内を移動する外乱光を十分に吸収することができる。
【００２４】
（７）また、本発明は、前記画像読取装置において、前記白基準部は、前記光吸収手段に対して移動原稿搬送領域側に配置され、該白基準部の移動原稿搬送領域側に第２の光吸収手段が配置されたものである。
【００２５】
第２の光吸収手段により、移動原稿搬送領域側から入射する外乱光を吸収することができ、白基準部へ入射する外乱光を一層減少させることができる。これにより、白基準部に対して正確な白基準データを取得することができる。また、白基準部に対して光源を消灯して読み取ることにより、正確な黒基準データを取得できる。
【００２６】
（８）また、本発明は、前記画像読取装置において、装置本体の内面に第３の光吸収手段が設けられたものである。
【００２７】
第３の光吸収手段により、透明板を通過して装置本体内の内面に達した外乱光が吸収されるので、白基準部へ入射する外乱光を一層減少させることができる。
【００２８】
（９）また、本発明は、前記画像読取装置において、前記光吸収手段、第２の光吸収手段、及び第３の光吸収手段は、略黒色であることを特徴とする。
【００２９】
この発明では、光吸収手段、第２の光吸収手段、及び第３の光吸収手段が略黒色であるので、外乱光を充分に吸収することができる。
【００３０】
（１０）また、本発明は、前記画像読取装置において、前記読取手段と前記駆動手段とを制御する制御手段を備え、前記制御手段は、前記読取手段を、前記白基準部を読み取り可能な白基準領域内で移動させつつ、白基準領域内における複数の点で白基準データを取得させるとともに、前記読取手段を、前記光吸収手段を読み取り可能な光吸収手段領域内で光源を消灯した状態で黒基準データを取得させることを特徴とする。
【００３１】
この発明によれば、読取手段を移動させながら、白基準部における複数の点での白基準データを取得するので、例えば、白基準部の一部にゴミが付着していても、その部分の影響が小さくなり、明出力補正を正確に行うことができる。また、読取手段の位置を、外乱光を吸収する光吸収手段に合わせて黒基準データを取得するので、外乱光に影響されることなく、正確な黒基準データを取得することができる。
【００３２】
（１１）また、本発明は、前記画像読取装置において、前記制御手段は、前記読取手段を白基準領域内で往復動させて前記読取手段により前記白基準データを読み取ることを特徴とする。
【００３３】
この発明によれば、白基準データを取得するときに、読取手段を往復動させながら、白基準部における複数の点での白基準データを取得するので、例えば、白基準部の一部にゴミが付着していても、その部分の影響を小さくし、明出力補正を正確に行うことができる。
【００３４】
（１２）また、本発明は、前記画像読取装置において、前記制御手段は、前記黒基準データを取得するときに、前記読取手段を停止させ、一定時間ごとに複数の黒基準データを取得させることを特徴とする。
【００３５】
この発明によれば、読取手段が複数の黒基準データを取得するので、黒基準データのばらつきに影響されず、正確に暗出力補正を行うことができる。
【００３６】
（１３）また、本発明は、前記画像読取装置において、前記読取手段と前記駆動手段とを制御する制御手段を備え、前記制御手段は、前記読取手段に、前記白基準部を読み取り可能な白基準領域内で白基準データを取得させるとともに、前記読取手段に、前記光吸収手段を読み取り可能な光吸収手段領域内で光源を消灯した状態で黒基準データを取得させるものである。
【００３７】
制御手段は、白基準部を読み取り可能な白基準領域内で読取手段に白基準データを取得させる。白基準領域内に進入する外乱光が光吸収手段に吸収されることにより、白基準データへの外乱光の影響が低減される。また、制御手段は、光吸収手段を読み取り可能な光吸収手段領域内で光源を消灯した状態で読取手段に黒基準データを取得させる。光吸収手段に入射した外乱光は吸収されるので、読取手段に反射することはない。また、光源が消灯されるので、光吸収手段に外乱光以外の光は入射しない。したがって、読取手段は、反射光をまったく受光しない状態で黒基準データを得ることができる。
【００３８】
（１４）また、本発明は、前記画像読取装置において、前記制御手段は、前記読取手段を、所定の待機位置から、前記光吸収手段領域に移動させて黒基準データを取得させ、次に、前記読取手段を、前記白基準領域に移動させて白基準データを取得させることを特徴とする。
【００３９】
この発明によれば、先に黒基準データを取得し、次に白基準データを取得するので、読取手段の補正処理が容易である。
【００４０】
（１５）また、本発明は、前記画像読取装置において、前記制御手段は、前記読取手段を、前記光吸収手段領域よりも前記白基準領域に近い待機位置から、前記白基準領域に往動させて白基準データを取得させ、次に、前記読取手段を更に前記光吸収手段領域に往動させて黒基準データを取得させることを特徴とする。
【００４１】
この発明によれば、読取手段の補正を行うときには、読取手段は待機位置から、白基準領域を経て、光吸収手段領域に至るまで同一方向に移動するので、読取手段の移動距離が短くて済む。そのことにより、読取手段の補正に要する時間を短縮できる。
【００４２】
（１６）また、本発明は、前記画像読取装置において、前記制御手段は、前記読取手段を前記待機位置から前記白基準領域に移動させ、前記光源の光量を調整する光量調整を行い、白基準データを取得させることを特徴とする。
【００４３】
この発明によれば、読取手段を待機位置から白基準領域に移動させてから光源の光量を調整し、その後白基準データを取得する。光量調整により所望の点灯状態が維持される。これにより、明出力補正を正確に行うことができる。
【００４４】
（１７）また、本発明は、前記画像読取装置において、前記制御手段は、既に取得した黒基準データを保持し、前記光量調整において該黒基準データに基づいて光源の光量を調整するものである。
【００４５】
光量調整は、黒基準データに対する白基準データの出力を所望の値とするために、白基準領域に対して行われるものである。一方、制御手段により、読取手段は、光吸収手段領域よりも白基準領域に近い待機位置から白基準領域に往動されて白基準データが取得され、更に光吸収手段領域に往動されて黒基準データが取得される。したがって、白基準領域において読取手段の光量調整を行う際には、黒基準データが未だ取得されていないが、既に取得した黒基準データが保持されており、該黒基準データに基づいて光源の光量調整が行われるので、黒基準データの取得前に正確な光量調整がなされる。
【００４６】
（１８）また、本発明は、前記画像読取装置において、前記制御手段は、前記読取手段を、前記白基準領域から前記光吸収手段領域に移動させる間に、前記光源を消灯させることを特徴とする。
【００４７】
この発明によれば、読取手段を、白基準領域から光吸収手段領域に移動させる間に光源を消灯させる。そのため、読取手段が光吸収手段領域に至ったときには、すぐに暗出力補正をすることができる。
【００４８】
（１９）また、本発明は、原稿を載置する原稿載置面を有する透明板と、前記透明板に関して前記原稿載置面と反対側に設置され、光源により光照射して該反射光を読み取る読み取り手段と、前記読取手段を前記透明板に沿って往復動させる駆動手段と、前記透明板に近接して設けられ、原稿の位置決めを行う位置決め手段と、前記位置決め手段に透明板を介して前記読取手段に対向配置される白基準部と、前記透明板内を移動する外乱光を吸収する光吸収手段と、を備えた画像読取装置を用いる画像読取方法であって、前記読取手段を、前記白基準部を読み取り可能な白基準領域内で移動させつつ、前記光源により前記白基準部を照らした状態で、前記読取手段に、前記白基準部における複数の点での白基準データを取得させる白基準データ取得工程と、前記読取手段を前記白基準領域内、又は前記光吸収手段の下方で停止させ、前記光源を消灯した状態で一定時間ごとに黒基準データを取得させる黒基準データ取得工程と、を含むことを特徴とする。
【００４９】
この発明によれば、光吸収手段が外乱光を吸収するので、白基準部に外乱光が入射することがない。そのため、本発明によれば、白基準部から読取手段に外乱光が入射することがないので、階調豊かな白基準データを取得し、明出力補正を正確に行うことができる。また、前記のように光吸収手段が外乱光を吸収するので、白基準部に外乱光が入射することがない。そのため、白基準部から読取手段に外乱光が入射することがないので、光源を消灯した状態で、読取手段に白基準部を読み取らせることで階調豊かな黒基準データを取得し、暗出力補正を正確に行うことができる。また、前記のように光吸収手段は外乱光を吸収するので、光吸収手段から読取手段に外乱光が入射することがない。そのため、光源を消灯した状態で、読取手段に光吸収手段を読み取らせることで階調豊かな黒基準データを取得し、暗出力補正を正確に行うことができる。
【００５０】
（２０）また、本発明は、原稿を載置する原稿載置面を有する透明板と、前記透明板を介して前記原稿載置面と反対側に配設され、光源により光照射して該反射光を読み取る読取手段と、前記読取手段を前記透明板に沿って往復動させる駆動手段と、前記透明板の原稿載置面を前記読取手段の移動方向に対して複数の領域に区画するように設けられ、原稿載置面に載置される原稿の位置決めを行う位置決め手段と、前記位置決め手段の原稿載置面側であって前記読取手段の移動方向の中央付近に位置するように設けられ、前記透明板を通じて位置決め手段の原稿載置面側に入射する外乱光を吸収する光吸収手段と、前記位置決め手段の原稿載置面側に設けられた白基準部と、を具備する画像読取装置を用いる画像読取方法であって、前記読取手段を、所定の待機位置から前記光吸収手段を読み取り可能な光吸収手段領域に移動させて、該光吸収手段領域に対して光源を消灯した状態で黒基準データを取得させる黒基準データ取得工程と、前記読取手段を、前記光吸収手段領域から前記白基準部を読み取り可能な白基準領域に移動させて、該白基準領域に対して白基準データを取得させる白基準データ取得工程と、を含むものである。
【００５１】
画像読取りが行われる原稿は、位置決め手段に従って透明板の原稿載置面の一方の領域に載置される。そして、読取手段が、透明板の一方の領域に対応した範囲で駆動手段により移動される間に、光源から原稿に対して光照射して該原稿からの反射光を読み取る。これにより、原稿の画像読取りが行われる。この画像読取りに先立って、黒基準データ取得工程と、白基準データ取得工程とが行われる。この際、原稿が載置されていない原稿載置面の他方の領域が外部に露出されている場合には、この他方の領域から装置内に外乱光が進入する。外部から透明板に進入した外乱光は、透明板内を反射しながら位置決め手段の原稿載置面側に入射したり、透明板を通過して装置本体（筐体）内面で反射し、再び透明板を通過して位置決め手段の原稿載置面側に入射する。
【００５２】
黒基準データ取得工程では、読取手段を、所定の待機位置から光吸収手段を読み取り可能な光吸収手段領域に移動させて、該光吸収手段領域に対して光源を消灯した状態で黒基準データが取得される。光吸収手段に入射した外乱光は吸収されるので、読取手段に反射することはない。また、光源が消灯されるので、光吸収手段に外乱光以外の光は入射しない。したがって、読取手段は、反射光をまったく受光しない状態で黒基準データを得ることができる。これにより、正確な暗出力補正が実現される。白基準データ取得工程では、読取手段を、光吸収手段領域から白基準部を読み取り可能な白基準領域に移動させて、該白基準領域に対して白基準データが取得される。白基準領域内に進入する外乱光は光吸収手段に吸収されるので、白基準データへの外乱光の影響が低減される。これにより、正確な明出力補正が実現される。このように、原稿の白色及び黒色に対応した正確な出力補正が実現されるので、外乱光が入射した状態における画像読取りにおいて、読取画像の画質劣化が防止される。
【００５３】
（２１）また、本発明は、原稿を載置する原稿載置面を有する透明板と、前記透明板を介して前記原稿載置面と反対側に配設され、光源により光照射して該反射光を読み取る読取手段と、前記読取手段を前記透明板に沿って往復動させる駆動手段と、前記透明板の原稿載置面を前記読取手段の移動方向に対して複数の領域に区画するように設けられ、原稿載置面に載置される原稿の位置決めを行う位置決め手段と、前記位置決め手段の原稿載置面側であって前記読取手段の移動方向の中央付近に位置するように設けられ、前記透明板を通じて位置決め手段の原稿載置面側に入射する外乱光を吸収する光吸収手段と、前記位置決め手段の原稿載置面側に設けられた白基準部と、を具備する画像読取装置を用いる画像読取方法であって、前記読取手段を、前記光吸収手段よりも前記白基準部に近い待機位置に待機させる待機工程と、前記読取手段を、前記待機位置から前記白基準部を読み取り可能な白基準領域に移動させて、該白基準領域に対して白基準データを取得させる白基準データ取得工程と、前記読取手段を、前記白基準領域から前記光吸収手段を読み取り可能な光吸収手段領域に移動させて、該光吸収手段領域に対して光源を消灯した状態で黒基準データを取得させる黒基準データ取得工程と、を含むものである。
【００５４】
画像読取りが行われる原稿は、位置決め手段に従って透明板の原稿載置面の一方の領域に載置される。そして、読取手段が、透明板の一方の領域に対応した範囲で駆動手段により移動される間に、光源から原稿に対して光照射して該原稿からの反射光を読み取る。これにより、原稿の画像読取りが行われる。この画像読取りに先立って、待機工程と、白基準データ取得工程と、黒基準データ取得工程とが行われる。この際、原稿が載置されていない原稿載置面の他方の領域が外部に露出されている場合には、この他方の領域から装置内に外乱光が進入する。外部から透明板に進入した外乱光は、透明板内を反射しながら位置決め手段の原稿載置面側に入射したり、透明板を通過して装置本体（筐体）内面を反射し、再び透明板を通過して位置決め手段の原稿載置面側に入射する。
【００５５】
待機工程では、読取手段が、光吸収手段よりも白基準部に近い待機位置に待機される。光吸収手段は、位置決め手段の原稿載置面側であって読取手段の移動方向の中央付近に位置するように設けられている。また、白基準部は、位置決め手段の原稿載置面側に設けられている。すなわち、白基準部は、光吸収手段に対して、読取手段の移動方向のいずれか一方側に配置されている。待機位置は、光吸収手段に対して白基準部が配置された一方側であれば、原稿が載置された一方の領域であっても、原稿が載置されてない他方の領域であってもよい。
【００５６】
白基準データ取得工程では、読取手段を、待機位置から白基準部を読み取り可能な白基準領域に移動させて、該白基準領域に対して白基準データが取得される。読取手段は、待機位置から位置決め手段に対応する位置に移動される際に、光吸収領域より先に白基準領域に到達する。したがって、白基準領域に対する白基準データの取得を、黒基準データの取得に先立って行うことが効率的である。また、白基準領域内に進入する外乱光は光吸収手段に吸収されるので、白基準データへの外乱光の影響が低減される。これにより、正確且つ迅速な明出力補正が実現される。
【００５７】
黒基準データ取得工程では、読取手段を、白基準領域から光吸収手段を読み取り可能な光吸収手段領域に移動させて、該光吸収手段領域に対して光源を消灯した状態で黒基準データが取得される。読取手段が、待機位置から白基準領域を経て光吸収領域まで移動される経路は一方向である。したがって、読取手段の移動を迅速且つ円滑に行うことができる。また、光吸収手段に入射した外乱光は吸収されるので、読取手段に反射することはない。また、光源が消灯されるので、光吸収手段に外乱光以外の光は入射しない。したがって、読取手段は、反射光をまったく受光しない状態で黒基準データを得ることができる。これにより、正確且つ迅速な暗出力補正が実現される。このように、原稿の白色及び黒色に対応した正確且つ迅速な出力補正が実現されるので、外乱光が入射した状態における画像読取りにおいて、読取画像の画質劣化が防止される。
【００５８】
（２２）また、本発明は、前記画像読取方法において、前記白基準データ取得工程は、前記白基準領域に対して白基準データを取得する前に、該白基準領域に対して前記読取手段の光源の光量を調整を行うものである。
【００５９】
前記白基準データ取得工程において、読取手段が待機位置から白基準領域に移動されると、読取手段の光源の光量が調整される。光量調整は、白基準領域に対して得られる白基準データが所望の出力となるように行われる。これにより、読取手段の光源を所望の光量にできる。その後、調整された光量で光源が点灯されて白基準データが取得されることにより、明出力補正を正確に行うことができる。
【００６０】
（２３）また、本発明は、前記画像読取方法において、前記白基準データ取得工程は、既に取得した黒基準データに基づいて前記光源の光量を調整するものである。
【００６１】
光量調整は、黒基準データに対する白基準データの出力を所望の値とするために、白基準領域に対して行われるものである。一方、読取手段は、先ず、待機位置から白基準領域に移動される。したがって、白基準領域において読取手段の光量調整を行う際には、黒基準データが未だ取得されていないが、既に取得した黒基準データが保持されており、該黒基準データに基づいて光源の光量調整が行われるので、黒基準データの取得前に正確な光量調整がなされる。
【００６２】
（２４）また、本発明は、前記画像読取方法において、前記黒基準データ取得工程は、前記読取手段を、前記白基準領域から前記光吸収手段領域に移動させる間に、前記光源を消灯させるものである。
【００６３】
読取手段が白基準領域から光吸収手段領域に移動される間に、光源が消灯される。これにより、読取手段を光吸収手段領域に到達させた後、すぐに黒基準データの取得を行うことができる。
【発明を実施するための最良の形態】
【００６４】
以下に本発明の画像読取装置、画像読取方法の例（実施例）を説明する。
【実施例１】
【００６５】
ａ）まず、本実施例１の画像読取装置１の全体構成を図１〜図３を用いて説明する。
本実施例１の画像読取装置１は、フラットベッド型のスキャナ装置として構成されており、装置本体３の上方に開放可能に本体カバー５が設けられている。本体装置３は上面が開口した箱形形状とされ、その内部には副走査方向（図３で左右方向）に往復動可能にイメージセンサ（読取手段、ＣＩＳ）２１が配置されている。そして、装置本体３の上カバーの開口部に、プラテンガラス（透明板）１３が両面テープで固着されている。プラテンガラス１３は、透明なガラスや樹脂から構成され、その上面は原稿が載置される原稿載置面を構成している。
【００６６】
なお、本画像読取装置１は、例えば、スキャナ機能、プリンタ機能、ファクシミリ機能を一体的に備えた複合機の一部として実施されてもよいが、本発明では、スキャナ機能以外は任意の機能であり、スキャナ単体として実施されてもよいことは当然である。
【００６７】
装置本体３の上面には、一枚のガラスからなるプラテンガラス１３が取り付けられており、このプラテンガラス１３の上面は、装置背面側（図２中の上側）を支点として上下方向に開閉可能な本体カバー５で被覆可能とされている。本体カバー５の一端には、原稿搬送装置（搬送手段）４０が取り付けられており、本体カバー５とともにプラテンガラス１３に対して被覆可能とされている。また、本体カバー５の下面には、プラテンガラス１３と対向する位置にスポンジ及び白板等からなる押さえ部材が配設されている。この押さえ部材により、プラテンガラス１３に載置された原稿が押さえ付けられる。なお、図１（ａ）は、本体カバー５を閉じてプラテンガラス１３上を覆った状態である。図１（ｂ）は、本体カバー５を開放してプラテンガラス１３全域を露出させた状態である。
【００６８】
装置本体３は、その前面側（図２中の下側）に、テンキー等の各種スイッチやＬＣＤパネルを備えた操作部１５が取り付けられている。この操作部１５のキーを操作することにより入力される指令が後述するＣＰＵ１０１により実行される。なお、画像読取装置１を、コンピュータ等の外部情報機器と接続され、該コンピュータ等にインストールされたスキャナドライバ等のソフトウェアから送信される指令が、ＣＰＵ１０１により実行されるように構成してもよい。
【００６９】
装置本体３は上カバーの上面が開口され、その開口部にプラテンガラス１３が取り付けられている。そして、装置本体３の内部空間には副走査方向（図３中の左右方向）に往復動可能なイメージセンサ２１が設けられている。このイメージセンサ２１の位置は、プラテンガラス１３の下側である。一方、原稿載置面は、プラテンガラス１３の上面である。換言すれば、イメージセンサ２１の位置は、プラテンガラス１３に関して、原稿載置面と反対側である。
【００７０】
イメージセンサ２１は、プラテンガラス１３上の原稿Ｐに光照射するＲ、Ｇ、Ｂの３色からなるＬＥＤ等の点状光源（以下光源という）と、原稿Ｐからの反射光を収束させるセルフォック（登録商標）レンズと、所定の間隔で多数個が一列且つ上向きに配置された受光素子と、を備える密着型の読取センサである。イメージセンサ２１の受光素子の配列長さは、ほぼプラテンガラス１３の長さと同程度である。
【００７１】
また、装置本体３の内部には、装置本体３の長手方向（副走査方向）の一端にモータ軸を下にして配置されるＤＣモータ２３と、該モータ軸に取り付けられるプーリ２５ａと、これらプーリ２５ａ間に懸架される無端ベルト２５ｂとから構成される駆動手段が備えられている。この駆動手段により、イメージセンサ２１が副走査方向（装置長手方向）に移動可能とされている。これにより、後述するように、イメージセンサ２１は、プラテンガラス１３の静止原稿走査領域（第１読取部）１１及び移動原稿走査領域（第２読取部）１２との間を往復可能に構成されている。
【００７２】
また、プラテンガラス１３の原稿載置面側には、位置決め部材１７（位置決め手段）が設けられている。位置決め部材１７は、プラテンガラス１３の原稿載置面を複数の領域に区画するものであり、具体的には、静止原稿走査領域１１と移動原稿走査領域１２とに区画している。静止原稿走査領域１１は、画像読取装置１をＦＢＳとして用いる場合に原稿Ｐを載置する面であり、移動原稿走査領域１２は、原稿搬送装置４０を用いる場合に、搬送される原稿Ｐを読み取るための面である。位置決め部材１７により、図２に示すように、装置の副走査方向（図２左右方向）の左側に幅狭の所定領域が、右側に、読取り可能な最大サイズの原稿Ｐが載置可能な幅広の所定領域が形成されるように、プラテンガラス１３が２つの領域に区画されている。この左側の幅狭の領域が静止原稿走査領域１１であり、右側の幅広の領域が移動原稿走査領域１２である。
【００７３】
本画像読取装置１をＦＢＳとして用いる場合には、図１（ｂ）の状態で、プラテンガラス１３に読取原稿Ｐが下向きに載置される。詳細には、位置決め部材１７を原稿Ｐの端部基準として、原稿Ｐの読取面を下向きにしてプラテンガラス１３の静止原稿走査領域１１に載置される。そして、再び本体カバー５が支点を中心に下方へ回動され、図１（ａ）に示されるように、原稿Ｐを上から押さえた状態となって、原稿Ｐの画像読取りが行われる。原稿Ｐを読み取る際には、図３（ｂ）に示されるように、モータ２３の回転により無端ベルト２５ｂに取り付けられたイメージセンサ２１が、図３中の右方向に移動しつつ光源により光照射し、原稿Ｐからの反射光をレンズを介して受光素子上に結像させて光信号を電気信号に変換する。
【００７４】
図３に示すように、本体カバー５には、原稿搬送装置４０（ＡＤＦ）が搭載されている。この原稿搬送装置４０は、原稿Ｐの読取面を下にして載置する給紙トレイ４１と、給紙トレイ４１の上方に配置され、読取り終了後の原稿Ｐを読取面を上にして積載する排紙トレイ４２と、これら給紙トレイ４１と排紙トレイ４２との間に下からＵターン状に形成される搬送経路５５とを備えている。給紙トレイ４１と排紙トレイ４２とは、給紙トレイ４１の上方空間が開放されるように水平方向にずらして配置されている。このため、給紙トレイ４１の直上に排紙トレイ４２が配置される場合に比べて、原稿Ｐを給紙トレイ４１にセットし易いという利点がある。また、給紙トレイ４１及び排紙トレイ４２により、読取り前後の原稿Ｐは、それぞれ分離した状態で給紙トレイ４１又は排紙トレイ４２に保持される。
【００７５】
給紙トレイ４１に積載された原稿Ｐは、給紙トレイ４１の下方に配置された給紙ローラ４４、４５により繰り出され、一枚ずつ分離されることにより、搬送経路５５の下流側へ搬送される。給紙ローラ４４、４５より下流側には、ローラ対から成る搬送ローラ４７、４８が配置され、これらにより、原稿Ｐが最下位置の移動原稿走査領域１２へ搬送される。このプラテンガラス１３の移動原稿走査領域１２には、所定の間隔を介して対向するように上板４９が配置されている。そして、搬送されてくる原稿Ｐが移動原稿走査領域１２（ＡＤＦ読取位置）に待機されたイメージセンサ２１により順次読み取られる。プラテンガラス１３の一端（図３左端）には、プラテンガラス１３上を移動してきた原稿Ｐの先端を偏向するすくい上げ部材が設けられている。そして、一対の搬送ローラ５１、５２により上向きに反転しつつ送られ、排出ローラ５３、５４により、読み取った面を上にして排紙トレイ４２に排出される。
【００７６】
なお、このような搬送装置４０の構成は一例であり、例えば、給紙トレイ４１と排紙トレイ４２の位置関係を変更したり、給紙ローラ４４，４５、搬送ローラ４７，４８、排出ローラ５３，５４等の各ローラの構成や配置を変更したり、搬送経路５５を変更する等、搬送装置４０の構成をその他の公知の搬送装置の構成に変更できることは当然である。
【００７７】
ｂ）次に、図５を参照して位置決め部材１７の構成を説明する。なお、図５（ａ）は、位置決め部材１７の下面（ガラス当接面）を表す図であり、図５（ａ）中の上下方向は、主走査方向であり、図２における上下方向に該当する。また、図５（ａ）における左方向は、図２における左方向である。従って、図５（ａ）において、位置決め部材１７の左側は、移動原稿読取領域１２であり、位置決め部材１７の右側は、静止原稿読取領域１１である。また、図５（ｂ）は、図５（ａ）におけるＡ−Ａ断面での断面図である。
【００７８】
位置決め部材１７は、略長方形の板状部材であり、その主走査方向（すなわち図５（ａ）における上下方向）の長さは、プラテンガラス１３の主走査方向における長さと同等である。従って、位置決め部材１７を図２に示すように、主走査方向に沿ってプラテンガラス１３の上面に配置すると、位置決め部材１７はプラテンガラス１３の一方の端から他方の端まで達するに十分な長さを有する。
【００７９】
位置決め部材１７の下面は、そのほぼ全域にわたって、白色の薄板部材である白基準部１７ａにより覆われている。そして、この白基準部１７ａの下面には、更に、黒色の薄板部材である黒基準部（光吸収手段）１７ｂが取り付けられている。この黒基準部１７ｂは、白基準部１７ａの左端から略１／３の領域を覆わずに露出させるように配置されている。換言すれば、白基準部１７ａにおいて、移動原稿走査領域１２側の略１／３から右側（静止原稿走査領域１１）の略２／３の領域が黒基準部１７ｂにより覆われている。
【００８０】
白基準部１７ａのうち、黒基準部１７ｂに覆われずに露出されている部分は、後述する白基準データの取得や光量調整に用いられる。また、黒基準部１７ｂの右側の略１／３の領域における中央は切り欠かれ、白基準部１７ａが露出されている。黒基準部１７ｂの左端１７ｆのラインは、すなわち、白基準部１７ａと黒基準部１７ｂとの境界は、イメージセンサ２１の副走査の基準位置となる。つまり、左端１７ｆを元に、電源ＯＮ初期化時及び読取終了後にＨＰ（待機位置）が決定される。
【００８１】
また、黒基準部１７ｂの右側において、中央が切り欠かれることにより形成された白基準部１７ａと黒基準部１７ｂとの主走査方向の２箇所の境界は、イメージセンサ２１の主走査の基準位置１７ｄとなる。なお、本実施例１の画像読取装置１では、２つの基準位置１７ｄの中心が、原稿Ｐの中心と決定される。このような基準位置１７ｄ，１７ｆでは、白基準部１７ａの白色と黒基準部１７ｂの黒色とで色（輝度）が明確に変化するので、イメージセンサ２１の出力に基づいて明確に判別することができる。
【００８２】
また、黒基準部１７ｂがイメージセンサ２１の主走査方向に連続する部分、換言すれば、位置決め部材１７のイメージセンサ２１の副走査方向の中央付近に相当する部分は、後述する黒基準データの取得に用いられる。また、黒基準データの取得は、黒基準部１７ｂの副走査方向の幅に対して全領域で行われるものではなく、イメージセンサ２１の受光素子が列設された主走査ラインに相当する位置１７ｈで行われる。この黒基準データが取得される位置１７ｈに対して黒基準部１７ｂの中央付近の幅は十分に広く、黒基準部１７ｂは、少なくとも、該位置１７ｈから左側、すなわち移動原稿走査領域１２側へ延出されている。勿論、位置１７ｈから右側（静止原稿走査領域１１）へも黒基準部１７ｂが延出されていてもよい。
【００８３】
位置決め部材１７の下面のうち、右端の領域には、透明な両面テープ１７ｃが貼り付けられている。この両面テープ１７ｃは、図５（ａ）での上下方向における中央付近に貼り付けられた厚みのある両面テープ１７ｃ１と、図５（ａ）における上端、及び下端付近に貼り付けられた薄い両面テープ１７ｃ２とからなる。これら両面テープ１７ｃ１，１７ｃ２の厚みの差は、白基準部１７ａと黒基準部１７ｂとの厚みの差に相当する。両面テープ１７ｃ１が貼り付けられる位置では、両面テープ１７ｃ１の形状に合わせて白基準部１７ａが切り欠かれており、両面テープ１７ｃ１は白基準部１７ａの上に直接貼り付けられている。一方、両面テープ１７ｃ２は、白基準部１７ａ及び黒基準部１７ｂの上に重ねて貼り付けられている。
【００８４】
白基準部１７ａの左端は、位置決め部材１７よりも更に左側に張り出しており、その張り出した部分の上面には、透明なテープ１７ｅが取り付けられている。この透明なテープ１７ｅは、その右端において位置決め部材１７に固着されるとともに、その左端は、白基準部１７ａよりも更に左側に張り出されている。
【００８５】
白基準部１７ａ及び黒基準部１７ｂは、前記のように位置決め部材１７の下面に配置され、該位置決め部材１７が、両面テープ１７ｃ１，１７ｃ２及びテープ１７ｅにより、プラテンガラス１３の上面に密着して取り付けられている。すなわち、白基準部１７ａ及び黒基準部１７ｂは、位置決め部材１７の原稿載置面側に配置されている。これにより、白基準部１７ａは、位置決め部材１７の原稿載置面側であって移動原稿走査領域１１側に配置され、また、黒基準部１７ｂは、位置決め部材１７の原稿載置面側であってイメージセンサ２１の副走査方向の中央に配置される。
【００８６】
ｃ）次に、画像読取装置１の電気的な構成を図４のブロック図を用いて説明する。
【００８７】
ＣＰＵ１０１は、ＲＯＭ１０２に格納された制御プログラムに基づいて、モータ２３の正逆回転制御、速度制御やイメージセンサ２１が備える光源の点灯／消灯制御を行う等、画像読取装置１の各部を制御する。
【００８８】
ＲＯＭ１０２は、画像読取装置１を制御するプログラムを記憶する。ＲＡＭ１０３は、イメージセンサ２１で読み取った画像データ、画像読取装置１に接続したＰＣからの画像データを一時的に格納しておくメモリである。ＲＡＭ１０３は、受光素子間の階調特性を補正するための黒基準データを記憶させる黒基準バッファ１０３ａと、点状光源の光量ばらつきを補正するための白基準データを記憶する白基準バッファ１０３ｂとの領域を少なくとも有する。
【００８９】
補正回路１０６は、Ｒ、Ｇ、Ｂそれぞれ１ライン毎に黒補正、白補正、ガンマ補正等の処理を行う。すなわち、イメージセンサ２１が読み取った原稿Ｐの画像データに対して、シェーディング補正等の各種補正を行うものである。
【００９０】
画像処理部１０６は、補正された画像データを平滑・強調処理やＲＧＢデータを印刷可能なＣＭＹＫデータに変換する処理などを行うものである。
【００９１】
ｄ）次に、画像読取装置１のＣＰＵ１０１が実行する処理を図６〜図１０を用いて説明する。
【００９２】
まず、ＣＰＵ１０１が実行する処理の概略を図６のフローチャートを用いて説明する。
ステップ１００では、ＣＰＵ１０１は光量調整及びシェーディングデータ算出を行う。この処理については後に詳述する。
【００９３】
次に、ステップ１１０にて、ＣＰＵ１０１は原稿Ｐを読み取り、画像信号を生成する。ここで、プラテンガラス１３の静止原稿走査領域１１上に載置された原稿Ｐの読み取りは、以下のように行われる。ＣＰＵ１０１は、モータ２３を制御し、それと同時に、イメージセンサ２１に、静止原稿走査領域１１上に載置された原稿Ｐの読み取りを行わせる。すなわち、ＣＰＵ１０１は、駆動手段によりイメージセンサ２１を副走査方向に移動させながら、該イメージセンサ２１に静止原稿走査領域１１上に載置された原稿Ｐの読み取りを行わせる。
【００９４】
また、原稿搬送装置４０により搬送される原稿Ｐの読み取りは以下のように行われる。ＣＰＵ１０１は、イメージセンサ２１を移動原稿走査領域１２の下に固定する。その後、ＣＰＵ１０１は原稿搬送装置４０を制御し、給紙トレイ４１に載置された原稿Ｐを一枚ずつ、移動原稿走査領域１２に搬送させる。また、その原稿Ｐが移動原稿走査領域１２を通過する際、イメージセンサ２１にその原稿Ｐを読み取らせる。
【００９５】
原稿Ｐを読み取ったイメージセンサ２１から出力される画像信号は、内部回路よってデジタル化され、デジタル化された画像信号は、補正回路１０４にて、後述のように作成、更新したシェーディングデータに基づく周知のシェーディング補正等がなされる。シェーディング補正後の画像信号はＲＡＭ１０３に格納され、ＣＰＵ１０１の動作により、インターフェース１０５を介して、外部情報機器であるコンピュータや、複合機として一体に備えた画像形成装置に提供される。
【００９６】
次に、ＣＰＵ１０１が実行する光量調整及びシェーディングデータ算出の処理を図７、図９、及び図１０を用いて説明する。なお、図７は光量調整及びシェーディングデータ算出処理を表すフローチャートであり、図９、図１０は前記処理におけるイメージセンサ２１の位置を表す説明図である。
【００９７】
（光量調整及びシェーディングデータ算出処理その１）
処理を開始する前には、イメージセンサ２１はホームポジション（ＨＰ、待機位置）にある。このＨＰは、黒基準部１７ｂよりも白基準部１７ａに近い待機位置である（図１０参照）。この待機位置は、図５に示す副走査方向の基準位置１７ｆに基づいて決定される。すなわち、電源ＯＮ時に、ＣＰＵ１０１は、イメージセンサ２１に、光源を点灯した状態で位置決め部材１７の下方を移動させながら基準位置１７ｆを読み取らせる。基準位置１７ｆは、白色と黒色との境界であり、これらの反射光の変化により受光素子の出力が変化するので、ＣＰＵ１０１はイメージセンサ２１の出力変化から基準位置１７ｆを判断する。そして、基準位置１７ｆから白基準部１７ａが露出された側、すなわち移動原稿走査領域１２に所定距離だけイメージセンサ２１を移動させた位置を待機位置とする（待機工程）。なお、待機位置は、位置決め部材１７付近とすることが光量調整や補正データの取得の高速化の観点から好適である。
【００９８】
また、操作部１５のスタートボタンが押下されて読取開始が入力されると、ＣＰＵ１０１から指令が出され、モータ２３が回転し、イメージセンサ２１により主走査及び副走査の基準位置が検出される。詳細には、モータ２３が回転されてイメージセンサ２１がホームポジションから副走査の基準位置１７ｆへ向かって１ステップ単位で移動されるとともに、イメージセンサ２１による読取りが行われる。そして、ＣＰＵ１０１は、イメージセンサ２１の主走査方向に連続する読取りラインのうち図５に示す両端付近の領域１８の読取値を解析する。イメージセンサ２１が白基準部１７ａに対応する位置にある場合には、領域１８の読取値は白基準部１７ａを示す値となる。そして、副走査の基準位置１７ｆに対応する位置に移動されると、領域１８の読取値は白基準部１７ａを示す値から黒基準部１７ｂを示す値となる。イメージセンサ２１の読取値が黒基準部１７ｂを示すものであるか否かは、例えば読取値が所定値より低いか否かで判断すればよい。さらにイメージセンサ２１が移動されることにより、領域１８の読取値は、黒基準部１７ｂを示す読取値が主走査方向に連続するようになる。そして、両端付近の２つの領域１８において、黒基準部１７ｂを示す読取値がともに主走査方向に１００画素連続した場合に、その位置を副走査の基準位置に決定する。このようイメージセンサ２１の読取りラインの両端付近の２つの領域１８で、副走査の基準位置１７ｆをそれぞれ検出させることにより、読取りラインに傾きが生じないように副走査の基準位置を決定することができる。また、イメージセンサ２１の読取りライン全域の読取値をＣＰＵ１０１に解析させる必要がないので、副走査の基準位置の決定のための処理速度が向上する。
【００９９】
つづいて、ＣＰＵ１０１は、モータ２３を所定ステップ数駆動させてイメージセンサ２１を主走査の基準位置１７ｄを読取り可能な位置へ移動させる。そして、イメージセンサ２１を停止させて、主走査の基準位置１７ｄを読み取らせる。ＣＰＵ１０１は、イメージセンサ２１の読取値のうち図５に示す領域１９の読取値を解析する。この領域１９は、２つの主走査の基準位置１７ｄを含む主走査方向の所定画素数の領域である。そして、該領域１９の読取値において、白基準部１７ａを示す値から黒基準部１７ｂを示す値となって、該黒基準部１７ｂを示す値が８画素連続した位置を主走査の基準位置に決定する。このように決定された２つの主走査の基準位置の中央が原稿の中央と定義される。このような主走査の基準位置の決定においても、イメージセンサ２１の読取りライン全域の読取値をＣＰＵ１０１に解析させる必要がないので、主走査の基準位置の決定のための処理速度が向上する。このようにして、主走査及び副走査の基準位置が検出された後、イメージセンサ２１がホームポジションに戻される。
【０１００】
図７のステップ２００では、操作部１５のスタートボタンが押下されると、ＣＰＵ１０１から指令が出され、モータ２３が回転し、イメージセンサ２１がホームポジションから黒基準データ、白基準データを採取するため移動を始める。イメージセンサ２１はＨＰから一定距離移動して黒基準部１７ｂの下方で停止する。（図１０における（１）ＨＰから（２）黒基準部への移動）。移動後のイメージセンサ２１は、図９（ｂ）に示すように、黒基準部１７ｂの下（光吸収手段領域）に位置する。
【０１０１】
ステップ２１０（黒基準データ取得工程）では、黒基準データを取得する。詳細には、イメージセンサ２１の光源を消灯した状態で黒基準部１７ｂに対して複数回の読取りが行われる。そして、採取されたデータは、平均をとるべく、受光素子ごとに読み取った回数で除算して黒基準データとしてＲＡＭ１０３の黒基準バッファ領域１０３ａに格納する。
【０１０２】
ステップ２２０では、黒基準データの設定が終わり、ＣＰＵ１０１が、再びモータ２３を駆動して、イメージセンサ２１を黒基準部１７ｂから白基準部１７ａの下方（白基準領域）に移動する（図１０における（２）黒基準部から（３）白基準部への移動）。
【０１０３】
ステップ２３０では、白基準部１７ａに対して光量調整が行われる。詳細には、最初に、イメージセンサ２１の光源から十分に小さい光量で白基準部１７ａに対して光を照射して、その反射光を受光素子で読み取る。光源の光量が小さければ、当然に受光素子の出力も小さい。そして、受光素子の出力が所望の値となるまで、光源の光量を段階的又は連続的に増加し、受光素子の出力が所望の値となったときの光源の光量を光量調整値として、ＲＡＭ１０３に格納する。なお、受光素子の所望の出力は、黒基準データに対する白基準データの出力が所望の値となるように設定される。
【０１０４】
ステップ２４０（白基準データ取得工程）では、イメージセンサ２１に白基準部１７ａを読み取らせる。詳細には、イメージセンサ２１の光源から前記光量調整値で光を照射して、白基準部１７ａの反射光を受光素子で読み取る。これにより、白基準データが取得される。白基準データの取得では、ＣＰＵ１０１は、モータ２３を正逆回転させて、イメージセンサ２１を白基準部１７ａの下方で往復動させる。往復動の範囲は、白基準部１７ａの左端から１ｍｍの位置に対応するＡ点と、白基準部１７ａの右端から１ｍｍの位置に対応するＢ点との間である（図１０における（３）白基準部の部分参照）。そして、この往復動の際に、白基準部１７ａの異なる位置でイメージセンサ２１に複数のデータを採取させる。さらに採取されたデータは平均をとるべく、受光素子ごとに読み取った回数で除算して白基準データとしてＲＡＭ１０３の白基準バッファ１０３ｂに格納する。
【０１０５】
ステップ２５０では、ＣＰＵ１０１は、前記ステップ２１０で取得した黒基準データを用いて黒色のシェーディングデータを作成するとともに、前記ステップ２４０で取得した白基準データを用いて白色のシェーディングデータを作成する。作成された各色のシェーディングデータは、ＲＡＭ１０３に記録される。なお、作成された各色のシェーディングデータは画像信号のシェーディング補正に用いられる。また、各色のシェーディングデータは、新たに作成されるたびに更新される。
【０１０６】
ステップ２６０では、ＣＰＵ１０１は、イメージセンサ２１を読取開始位置に移動させる。この読取開始位置は、原稿搬送装置４０により搬送される原稿を読み取る場合は、図３（ａ）に示すＡＤＦ読取位置である。また、静止原稿読取領域１１上に載置された原稿を読み取る場合は、図３（ｂ）、及び図１０における（４）読取開始位置の部分に示すように、静止原稿読取領域１１における左端の下である。そして、前述したように、原稿Ｐに対して、イメージセンサ２１の光源から光を照射して、反射光を受光素子で読み取ることにより、原稿Ｐの画像読取りが行われる。
【０１０７】
ｅ）次に、本実施例１の画像読取装置１、及び読取方法が奏する効果を説明する。
ｉ）本実施例１の画像読取装置１は、イメージセンサ２１が黒基準部１７ｂの下にある状態で黒基準データを取得する。黒基準部１７ｂは、位置決め部材１７の原稿載置面（下面）側にある。したがって、本体カバー５が開放された状態で画像読取りが指示され、その両側、すなわち静止原稿走査領域１１及び移動原稿走査領域１２が露出されている場合には、外乱光が入射するおそれがある。特に、画像読取装置１をＦＢＳとして用いて厚みのある原稿を読み取る場合には、本体カバー５を完全に閉めることが困難であり、また、移動原稿走査領域１２には原稿Ｐが載置されないので、外乱光が入射しやすい。このように位置決め部材１７の原稿載置面側に入射した外乱光は、黒基準部１７ｂにより吸収される。これにより、黒基準部１７ｂに入射した外乱光がイメージセンサ２１に反射することがない。そして、イメージセンサ２１の光源を消灯して黒基準部１７ｂに対して黒基準データを取得することにより、外乱光に影響されることなく正確な黒基準データを取得することができる。したがって、本実施例１の画像読取装置１では、階調豊かな黒基準データを取得し、シェーディング補正を正確に行うことができる。
【０１０８】
ii）本実施例１では、白基準部１７ａと黒基準部１７ｂとは、位置決め部材１７の原稿載置面（下面）側に配置されており、位置決め部材１７はプラテンガラス１７の原稿載置面上（上面）に配置されている。そのため、白基準部１７ａと黒基準部１７ｂとは、プラテンガラス１３の原稿載置面（上面）に配置されていることになる。
【０１０９】
これにより、イメージセンサ２１から白基準部１７ａへの距離、及びイメージセンサ２１から黒基準部１７ｂへの距離は、どちらも、イメージセンサ２１からプラテンガラス１３上に載置された原稿Ｐへの距離と等しいことになる。換言すれば、白基準日１７ａに対して取得される白基準データ及び黒基準部１７ｂに対して取得される黒基準データは、原稿Ｐの画像データの取得と同様の条件になる。これにより、本実施例１の読取装置１は、白基準部１７ａを用いた白基準データの取得、及び黒基準部１７ｂを用いた黒基準データの取得を正確に行うことができる。
【０１１０】
iii）本実施例１では、図５に示すように、白基準部１７ａと黒基準部１７ｂとが、イメージセンサ２１の副走査方向に並ぶようにして隣接しているので、イメージセンサ２１を白基準部１７ａの下から黒基準部１７ｂの下へ移動させるとき、及びその逆に移動させるときに、イメージセンサ２１の移動距離が少なくて済む。これにより、白基準データの取得と黒基準データの取得との間のインターバル時間を短くすることができる。したがって、シェーディングデータの作成を短時間で行うことができる。
【０１１１】
iv）本実施例１では、図５に示すように、黒基準部１７ｂは、位置決め部材１７のイメージセンサ２１の副走査方向の中央から移動原稿走査領域１２側に延出するように配置されてる。これにより、黒基準データを取得する位置１７ｈより、外乱光が入射しやすい移動原稿走査領域１２側に対して、黒基準部１７ｂの領域を十分に確保することができる。したがって、移動原稿走査領域１２から入射して、プラテンガラス１３内を反射して、又はプラテンガラス１３を通過して筐体内に反射して、位置決め部材１７の原稿載置面側に入射する外乱光を黒基準部１７ｂにより確実に吸収させることができる。
【０１１２】
v）本実施例１では、黒基準部１７ｂの主走査方向における長さが、プラテンガラス１３の走査方向における長さよりも長く、黒基準部１７ｂは、プラテンガラス１３の一方の端から他方の端まで達している。そのため、黒基準部１７ｂはプラテンガラス１３内を移動する外乱光を十分に吸収することができる。
【０１１３】
vi）本実施例１では、イメージセンサ２１を往復動させながら、白基準部１７ａにおける複数の点での白基準データを取得するので、例えば、白基準部１７ａの一部にゴミが付着していても、その部分の影響が小さくなり、白基準データの取得を正確に行うことができる。
【０１１４】
vii）本実施例１では、イメージセンサ２１が複数の黒基準データを取得するので、黒基準データのばらつきに影響されず、正確に黒基準データを取得することができる。
【０１１５】
viii）本実施例１において、（光量調整及びシェーディングデータ算出処理その１）の処理方法（図７参照）をとった場合は、先に黒基準データを取得し、次に白基準データを取得するので、光量調整が容易である。
【０１１６】
（光量調整及びシェーディングデータ算出処理その２）
また、本実施例１において、光量調整及びシェーディングデータ算出の処理は、次のように行ってもよい。この処理を図８、図９、及び図１１を用いて説明する。なお、図８は光量調整及びシェーディングデータ算出処理を表すフローチャートであり、図９、図１１は前記処理におけるイメージセンサの位置を表す説明図である。
【０１１７】
処理を開始する前には、イメージセンサ２１はホームポジション（ＨＰ）にある。イメージスキャナ２１を待機位置に待機させる方法（待機工程）は、前述と同様である。図８のステップ３００では、操作部１５のスタートボタンが押下されると、ＣＰＵ１０１から指令が出され、モータ２３が回転し、イメージセンサ２１がＨＰから黒基準データ、白基準データを採取するため移動を始める。イメージセンサ２１はＨＰから一定距離移動して白基準部１７ａの下方（白基準領域）で停止する。（図１１における（１）ＨＰから（２）白基準部への移動）。移動後のイメージセンサ２１は、図９（ａ）に示すように、白基準部１７ａの下に位置する。
【０１１８】
ステップ３１０では、ＣＰＵ１０１はイメージセンサ２１の光源の光量を、次に行う白基準データの取り込みに適した光量に調整する。この光量調整は、ステップ２３０で示した光量調整と同様であるが、黒基準データは未だ取得されいない。一方、黒基準データの取得前には、先の画像読取りにおいて既に取得した黒基準データがＲＡＭ１０３の黒基準バッファ領域１０３ａに格納されている。したがって、ＣＰＵ１０１は、既に取得した黒基準データに基づいて、白基準データが所望の出力となるように光量調整を行う。
【０１１９】
ステップ３２０（白基準データ取得工程）では、イメージセンサ２１に白基準部１７ａを読み取らせる。このとき、モータ２３を正逆回転させ、イメージセンサ２１を白基準部１７ａの下方で往復動させる。往復動の範囲は、白基準部１７ａの左端から１ｍｍの位置に対応するＡ点と、白基準部１７ａの右端から１ｍｍの位置に対応するＢ点との間である（図１１における（２）白基準部の部分参照）。そして、この往復動の際に、白基準部１７ａの異なる位置でイメージセンサ２１の受光素子に複数のデータを採取させる。さらに採取されたデータは平均をとるべく、受光素子ごとに読み取った回数で除算して白基準データとしてＲＡＭ１０３の白基準バッファ１０３ｂに格納する。
【０１２０】
ステップ３３０では、ＣＰＵ１０１はイメージセンサ２１を、白基準部１７ａの下から、黒基準部１７ｂの下（光吸収手段領域）に移動させる（図１１における（２）白基準部から（３）黒基準部への移動）。移動後のイメージセンサ２１は、図９（ｂ）に示すように、黒基準部１７ｂの下に位置する。また、イメージセンサ２１が黒基準部１７ｂの下に達するまでに、ＣＰＵ０１は、イメージセンサ２１の光源を消灯する。
【０１２１】
ステップ３４０（黒基準データ取得工程）では、黒基準データを読み取るべく、イメージセンサ２１の光源を消灯した状態で複数回の読取が行われる。イメージセンサ２１の光源は既に消灯されているので、イメージセンサが黒基準部１７ｂの下に位置すると、直ちに黒基準データを取得することができる。そして、採取されたデータは、平均をとるべく、受光素子ごとに読み取った回数で除算して黒基準データとしてＲＡＭ１０３の黒基準バッファ領域１０３ａに格納する。
【０１２２】
ステップ３５０では、ＣＰＵ１０１は前記ステップ３４０で取得した黒基準データを用いて黒色のシェーディングデータを作成するとともに、前記ステップ３２０で取得した白基準データを用いて白色のシェーディングデータを作成する。作成された各色のシェーディングデータは、ＲＡＭ１０３に記録される。
【０１２３】
ステップ３６０では、ＣＰＵ１０１はイメージセンサ２１を読取開始位置に移動させる。この読取開始位置は、原稿搬送装置４０により搬送される原稿を読み取る場合は、図３（ａ）に示すＡＤＦ読取位置である。また、静止原稿読取領域１１上に載置された原稿を読み取る場合は、図３（ｂ）、及び図１１における（４）読取開始位置の部分に示すように、静止原稿読取領域１１における左端の下である。そして、前述したように、原稿Ｐに対して、イメージセンサ２１の光源から光を照射して、反射光を受光素子で読み取ることにより、原稿Ｐの画像読取りが行われる。
【０１２４】
このように、本実施例において、（光量調整及びシェーディングデータ算出処理その２）の処理方法（図８参照）をとった場合は、イメージセンサ２１はホームポジションから、白基準部１７ａの下を経て、黒基準部１７ｂの下に至るまで同一方向に移動するので、イメージセンサ２１の移動距離が短くて済む。そのことにより、シェーディングデータの作成に要する時間を短縮できる。
【実施例２】
【０１２５】
本実施例２の画像読取装置１の構成及び作用は、基本的には前記実施例１と同様である。
但し、本実施例２では、図１２に示すように、位置決め部材１７の移動原稿走査領域１２側に、第２の光吸収部１７ｇ（第２の光吸収手段）を備えている。この第２の光吸収部１７ｇは、その下面は水平であるとともに、上面は外側（移動原稿走査領域１２側）にゆくほど低くなるように傾斜した板状部材である。また、第２の光吸収部１７ｇの下面は白基準部１７ａ、黒基準部１７ｂと面一であり、黒基準部１７ｂと同様に黒色である。
【０１２６】
本実施例２の画像読取装置１は、第２の光吸収部１７ｇを備えることにより、図１２に示すように、移動原稿走査領域１２側から入射する外乱光を、白基準部１７ａより移動原稿走査領域１２側で吸収することができる。そのため、白基準部１７ａへ入射する外乱光を一層減少させることができ、シェーディングデータの作成を一層正確に行うことができる。
【０１２７】
また、本実施例２では、装置本体２の筐体の内側面３ａを黒色とし、第３の光吸収手段としている。そのため、プラテンガラス１３を透過して筐体の内側面３ａに達した外乱光は内側面３ａに吸収され、白基準部１７ａに達することはない。従って、本実施例２では、白基準部１７ａへ入射する外乱光を一層減少させることができ、シェーディングデータの作成を一層正確に行うことができる。
【実施例３】
【０１２８】
本実施例３の画像読取装置１の構成及び作用は、基本的には前記実施例１と同様である。但し、本実施例３では、光量調整及びシェーディングデータ算出処理を図１３に示すように行う。
【０１２９】
ステップ４００では、操作部１５のスタートボタンが押下されると、ＣＰＵ１０１から指令が出され、モータ２３が回転し、イメージセンサ２１がホームポジションから黒基準データ、白基準データを採取するため移動を始める。イメージセンサ２１はＨＰから一定距離移動して白基準部１７ａの下方で停止する。移動後のイメージセンサ２１は、図９（ａ）に示すように、白基準部１７ａの下に位置する。なお、イメージスキャナ２１の待機位置であるＨＰや、イメージセンサ２１を待機位置に待機させる方法（待機工程）は、前記実施例１と同様である。
【０１３０】
ステップ４１０（黒基準データ取得工程）では、白基準部１７ａに対して黒基準データを読み取るべく、イメージセンサ２１の光源を消灯した状態で複数回の読取が行われる。そして、採取されたデータは、平均をとるべく、受光素子ごとに読み取った回数で除算して黒基準データとしてＲＡＭ１０３の黒基準バッファ領域１０３ａに格納する。
【０１３１】
ステップ４２０では、ＣＰＵ１０１はイメージセンサ２１の光源の光量を、次に行う白基準データの取り込みに適した光量に調整する。光量調整の方法は、前記実施例１と同様である。
【０１３２】
ステップ４３０（白基準データ取得工程）では、イメージセンサ２１に白基準部１７ａを読み取らせる。このとき、モータ２３を正逆回転させ、イメージセンサ２１を白基準部１７ａの下方で往復動させる。往復動の範囲は、白基準部１７ａの左端から１ｍｍの位置に対応するＡ点と、白基準部１７ａの右端から１ｍｍの位置に対応するＢ点との間である。そして、この往復動の際に、白基準部１７ａの異なる位置でイメージセンサ２１の受光素子に複数のデータを採取させる。さらに採取されたデータは平均をとるべく、受光素子ごとに読み取った回数で除算して白基準データとしてＲＡＭ１０３の白基準バッファ１０３ｂに格納する。
【０１３３】
ステップ４４０では、ＣＰＵ１０１は前記ステップ４１０で取得した黒基準データと、前記ステップ４３０で取得した白基準データを用いてシェーディングデータを作成する。作成されたシェーディングデータは、ＲＡＭ１０３に記録される。
【０１３４】
ステップ４５０では、ＣＰＵ１０１はイメージセンサ２１を読取開始位置に移動させる。そして、実施例１と同様にして、原稿Ｐに対して、イメージセンサ２１の光源から光を照射して、反射光を受光素子で読み取ることにより、原稿Ｐの画像読取りが行われる。このように、本実施例３では、黒基準データの取得は、イメージセンサ２１の光源を消灯した状態で、白基準部１７ａを読み取ることにより行う。
【０１３５】
本実施例３では、黒基準データの取得と白基準データの取得とを、イメージセンサ２１が白基準部１７ａの下にある状態で行うので、イメージセンサ２１の移動回数が少なくて済み、また、イメージセンサ２１の移動距離が短くて済む。そのため、イメージセンサ２１の制御が容易であり、また、シェーディングデータの作成に要する時間が短くて済む。
【０１３６】
なお、本発明は前記実施例になんら限定されるものではなく、本発明を逸脱しない範囲において種々の態様で実施しうることはいうまでもない。
【０１３７】
例えば、前記実施例１〜３において、白基準部１７ａと黒基準部１７ｂとの配置は逆であってもよい。つまり、黒基準部１７ｂが位置決め部材１７の下面において移動原稿走査領域１２側に配置され、白基準部１７ａが位置決め部材１７の下面における中央に配置されていてもよい。
【０１３８】
また、前記実施例１〜３では、白基準部１７ａと黒基準部１７ｂとを別部材として、白基準部１７ａを覆うように黒基準部１７ｂを設けることとしたが、白基準部１７ａと黒基準部１７ｂを、白色と黒色とを塗り分ける等により１つの部材で構成してもよい。
【０１３９】
また、前記実施例１〜３においては、読取手段であるイメージセンサ２１としてＣＩＳを用いたが、本発明に係る読取手段はＣＩＳのような密着型のイメージセンサの他、例えば縮小光学系のＣＣＤイメージセンサを用いることもできる。
【図面の簡単な説明】
【０１４０】
【図１】（ａ）は本体カバー５が閉じられた状態での画像読取装置１の構成を表す斜視図であり、（ｂ）は本体カバー５が開放された状態での画像読取装置１の構成を表す斜視図である。
【図２】画像読取装置１における装置本体３の上部構成を表す平面図である。
【図３】画像読取装置１の長手方向に沿う断面の構成を表す概略断面図である。
【図４】画像読取装置１の電気的構成を表すブロック図である。
【図５】（ａ）は位置決め部材１７の下面の構成を表す平面図であり、（ｂ）はＡ−Ａ断面における断面図である。
【図６】画像読取装置１が実行する画像読取処理を表すフローチャートである。
【図７】画像読取装置１が実行する光量調整及びシェーディングデータ算出処理を表す説明図である。
【図８】画像読取装置１が実行する光量調整及びシェーディングデータ算出処理を表す説明図である。
【図９】画像読取装置１のプラテンガラス１３周辺の構成を表す説明図である。
【図１０】光量調整及びシェーディングデータ算出処理実行時におけるイメージセンサ２１の動作を表す説明図である。
【図１１】光量調整及びシェーディングデータ算出処理実行時におけるイメージセンサ２１の動作を表す説明図である。
【図１２】画像読取装置１のプラテンガラス１３周辺の構成を表す説明図である。
【図１３】画像読取装置１が実行する光量調整及びシェーディングデータ算出処理を表す説明図である。
【符号の説明】
【０１４１】
１・・・画像読取装置
３・・・装置本体
３ａ・・・内面（第３の光吸収手段）
５・・・本体カバー
１１・・・静止原稿走査領域
１２・・・移動原稿走査領域
１３・・・プラテンガラス（透明板）
１５・・・操作部
１７・・・位置決め部材（位置決め手段）
１７ａ・・・白基準部
１７ｂ・・・黒基準部（光吸収手段）
１７ｇ・・・第２の光吸収部（第２の光吸収手段）
２１・・・イメージセンサ（画像読取手段）
４０・・・原稿搬送装置（搬送手段）
【図１】
2006065289.tif 000003
【図２】
2006065289.tif 000004
【図３】
2006065289.tif 000005
【図４】
2006065289.tif 000006
【図５】
2006065289.tif 000007
【図６】
2006065289.tif 000008
【図７】
2006065289.tif 000009
【図８】
2006065289.tif 000010
【図９】
2006065289.tif 000011
【図１０】
2006065289.tif 000012
【図１１】
2006065289.tif 000013
【図１２】
2006065289.tif 000014
【図１３】
2006065289.tif 000015